(57)【特許請求の範囲】
【請求項１】
複数の吸収性物品と、肌当接層、着衣当接層、及びそれらの間の粉体層を備える、切除すべきトリム部とを含む吸収性物品連続体から、吸収性物品を連続的に製造する方法であって、
次の各ステップ、
前記吸収性物品連続体を準備するステップ、
前記吸収性物品連続体を、前記吸収性物品及び前記トリム部を区画する境界線において、当該境界線の周縁領域を圧縮しながら切断し、前記吸収性物品と、前記トリム部とを分離するステップ、及び
前記トリム部を取り除くステップ、
を含む、前記方法。
【請求項２】
前記トリム部が、前記肌当接層及び着衣当接層の間に、接着剤が塗工された接着剤塗工領域を有する、請求項１に記載の方法。
【請求項３】
前記トリム部が、前記粉体層及び前記周縁領域が前記トリム部の厚さ方向に重複する重複領域を有し、前記トリム部が、前記重複領域に前記接着剤塗工領域を有する、請求項２に記載の方法。
【請求項４】
前記分離するステップにおいて、前記吸収性物品連続体を所定の搬送方向に搬送しながら、前記吸収性物品及び前記トリム部を、カッターロールと、アンビルロールとを備える切断装置に通すことより、前記境界線において切断し、前記トリム部が、前記粉体層及び前記周縁領域が、前記トリム部の厚さ方向に重複する重複領域を有し、前記トリム部が、前記接着剤塗工領域を、前記重複領域に有し、前記境界線のうち、前記重複領域に存在する境界線部分が、前記搬送方向と直交しない方向に延びている、請求項２又は３に記載の方法。
【請求項５】
前記分離するステップの前に、前記境界線の少なくとも一部に沿って、前記吸収性物品及び前記トリム部を、それらの厚さ方向にエンボスし、それらにエンボス部を形成するステップを含む、請求項１〜４のいずれか一項に記載の方法。
【請求項６】
前記エンボス部を形成するステップにおいて、前記境界線の少なくとも一部に沿って、前記吸収性物品及び前記トリム部に、低エンボス部と、前記低エンボス部よりも強くエンボスされた高エンボス部とを備える前記エンボス部を形成する、請求項５に記載の方法。
【請求項７】
前記エンボス部を形成するステップが、前記吸収性物品連続体を所定の搬送方向に搬送しながら、前記吸収性物品及び前記トリム部を、エンボスロールと、アンビルロールとを備えるエンボス装置に通すことにより実施され、前記境界線のうち、前記エンボス部が形成された部分が、前記搬送方向と直交しない方向に延びている、請求項５又は６に記載の方法。
【請求項８】
前記エンボス部を形成するステップにおいて、前記吸収性物品及び前記トリム部を、前記境界線の少なくとも一部に沿って、前記エンボス部の、前記搬送方向と直交する直交方向の長さが一定となるように、それらの厚さ方向にエンボスする、請求項７に記載の方法。
【請求項９】
前記トリム部を取り除くステップにおいて、前記トリム部が、吸引機器によって吸引されることによって取り除かれ、前記トリム部の吸引される面が、フィルムにより形成されている、請求項１〜８のいずれか一項に記載の方法。
【請求項１０】
前記吸収性物品連続体において、長手方向及び幅方向を有し、吸収性物品本体部と、前記吸収性物品本体部から、吸収性物品の幅方向外側に延出するフラップ部とを備える複数の吸収性物品が、前記長手方向に所定の間隔で配置されており、前記分離するステップの前に、前記トリム部及びフラップ部を構成する資材に、前記吸収性物品連続体が延びる方向に、粉体を連続的に塗工することにより、前記トリム部から前記フラップ部に連続する前記粉体層を形成するステップをさらに含む、請求項１〜９のいずれか一項に記載の方法。
【発明の詳細な説明】
【技術分野】
【０００１】
本開示は、吸収性物品を連続して製造する方法に関する。
【背景技術】
【０００２】
吸収性物品は、連続的に製造されるのが一般的であり、例えば、特許文献１に示されるように、連続シート１から、切除対象部１ｔを分離し、切除対象部１ｔを吸引回収機構７０に回収する。
一方、吸収性物品の分野では、芳香機能、冷感機能等の機能を有するものの開発が進んでいる。例えば、特許文献２に記載の吸収性物品は、冷感剤を内包するポリマーセル等の粉体を含む。
【先行技術文献】
【特許文献】
【０００３】
【特許文献１】特開２０１２−１１１０１８号公報
【特許文献２】特開２０１０−２３４０２８号公報
【発明の概要】
【発明が解決しようとする課題】
【０００４】
引例２に記載の、粉体を含む吸収性物品を連続的に製造し、切除すべきトリム部を連続的に回収すると、トリム部に粉体が存在する場合には、トリム部から落下した粉体が、製造装置内に堆積し、製造設備を汚染するため、製造設備を定期的に停止し、粉体を取り除く必要性が生じるため、製造効率が低下する。また、製造装置内に堆積した粉体は、特定の条件が満たすと粉塵爆発等を起こす恐れもある。
従って、本開示は、切除されたトリム部から粉体が落下しにくい、吸収性物品を連続的に製造する方法を提供することを目的とする。
【課題を解決するための手段】
【０００５】
本開示者らは、複数の吸収性物品と、肌当接層、着衣当接層、及びそれらの間の粉体層を備える、切除すべきトリム部とを含む吸収性物品連続体から、吸収性物品を連続的に製造する方法であって、次の各ステップ、上記吸収性物品連続体を準備するステップ、上記吸収性物品連続体を、上記吸収性物品及び上記トリム部を区画する境界線において、当該境界線の周縁領域を圧縮しながら切断し、上記吸収性物品と、上記トリム部とを分離するステップ、及び上記トリム部を取り除くステップを含む方法を見出した。
【発明の効果】
【０００６】
本開示の吸収性物品を連続的に製造する方法は、切除されたトリム部から粉体が落下しにくい。
【図面の簡単な説明】
【０００７】
【図１】図１は、第１実施形態に従う、吸収性物品１０１を連続的に製造する方法の工程図である。
【図２】図２は、第１実施形態に従って製造された吸収性物品１０１の正面図である。
【図３】図３は、図２に示される吸収性物品１０１の背面図である。
【図４】図４は、図２のＩＶ−ＩＶ端面における端面図である。
【図５】図５は、粉体塗工機２１から粉体を塗工し、粉体層５が形成された後の折返しシート１９を説明するための図である。
【図６】図６は、接着剤塗工領域を有する折返しシート３３を説明するための図である。
【図７】図７は、第５積層シート７１を説明するための図である。
【図８】図８は、切除されたトリム部７７を説明するための図である。
【発明を実施するための形態】
【０００８】
［定義］
・フラップ部
本明細書では、「フラップ部」は、サイドフラップ部と、ヒップフラップ部との両方を含む。
・周縁領域
本明細書では、境界線に関する「周縁領域」は、境界線と、当該境界線から、吸収性物品連続体の平面方向に、所定の距離内にある領域を意味する。上記周縁領域は、上記境界線から、吸収性物品の平面方向に、境界線における吸収性物品連続体の厚さの、好ましくは５倍以下、より好ましくは３倍以下、そしてさらに好ましくは１倍以下の距離内にある領域を意味する。
【０００９】
本開示は、以下の態様に関する。
［態様１］
複数の吸収性物品と、肌当接層、着衣当接層、及びそれらの間の粉体層を備える、切除すべきトリム部とを含む吸収性物品連続体から、吸収性物品を連続的に製造する方法であって、
次の各ステップ、
上記吸収性物品連続体を準備するステップ、
上記吸収性物品連続体を、上記吸収性物品及び上記トリム部を区画する境界線において、当該境界線の周縁領域を圧縮しながら切断し、上記吸収性物品と、上記トリム部とを分離するステップ、及び
上記トリム部を取り除くステップ、
を含む、上記方法。
態様１に記載の方法では、切除されたトリム部の周縁領域が圧縮されるため、粉体が、切除されたトリム部から、具体的には、切除されたトリム部の切断面から落下しにくい。従って、態様１に記載の方法は、粉体が製造装置を汚染しにくい効果を有する。
【００１０】
［態様２］
上記トリム部が、上記肌当接層及び着衣当接層の間に、接着剤が塗工された接着剤塗工領域を有する、態様１に記載の方法。
態様２に記載の方法では、接着剤塗工領域内の接着剤が、切除されたトリム部を、その厚さ方向に強固に連結するため、粉体が、切除されたトリム部の切断面から落下しにくい。従って、態様２に記載の方法は、粉体が製造装置を汚染しにくい効果を有する。
【００１１】
［態様３］
上記トリム部が、上記粉体層及び上記周縁領域が上記トリム部の厚さ方向に重複する重複領域を有し、上記トリム部が、上記重複領域に上記接着剤塗工領域を有する、態様２に記載の方法。
態様３に記載の方法では、接着剤塗工領域が重複領域に存在し、接着剤塗工領域の接着剤が、重複領域において、切除されたトリム部を、その厚さ方向に強固に連結するため、粉体が、切除されたトリム部の切断面から落下しにくい。従って、態様３に記載の方法は、粉体が製造装置を汚染しにくい効果を有する。
【００１２】
［態様４］
上記分離するステップの前に、上記境界線の少なくとも一部に沿って、上記吸収性物品及び上記トリム部を、それらの厚さ方向にエンボスし、それらにエンボス部を形成するステップを含む、態様１〜３のいずれか一項に記載の方法。
態様４に記載の方法では、切除すべきトリム部の境界線に沿って、上記吸収性物品及び上記トリム部にエンボス部を形成するため、粉体が、切除されたトリム部の切断面から落下しにくい。従って、態様４に記載の方法は、粉体が製造装置を汚染しにくい効果を有する。
【００１３】
［態様５］
上記エンボス部を形成するステップにおいて、上記境界線の少なくとも一部に沿って、上記吸収性物品及び上記トリム部に、低エンボス部と、上記低エンボス部よりも強くエンボスされた高エンボス部とを備える上記エンボス部を形成する、態様４に記載の方法。
態様５に記載の方法では、切除すべきトリム部の境界線に沿って、上記吸収性物品及び上記トリム部に、低エンボス部と、高エンボス部を備えるエンボス部を形成するため、切除されたトリム部において、エンボス部が破断しにくくなり、粉体が、切除されたトリム部の切断面から落下しにくくなる。また、切除されたトリム部において、エンボス部の圧搾強度が低い部分（圧搾強度の不均一性）が生じにくくなり、圧搾強度の低い部分から、粉体が落下しにくくなる。従って、態様５に記載の方法は、粉体が製造装置を汚染しにくい効果を有する。
【００１４】
［態様６］
上記エンボス部を形成するステップが、上記吸収性物品連続体を所定の搬送方向に搬送しながら、上記吸収性物品及び上記トリム部を、エンボスロールと、アンビルロールとを含むエンボス装置に通すことにより実施され、上記境界線のうち、上記エンボス部が形成された部分が、上記搬送方向と直交しない方向に延びている、態様４又は５に記載の方法。
態様６に記載の方法では、境界線のうち、エンボス部が形成された部分が、搬送方向と直交しない方向に延びているので、エンボス部を形成するステップにおいて、エンボス部が十分に圧搾され、その結果、粉体が、切除されたトリム部の切断面から落下しにくい。従って、態様６に記載の方法は、粉体が製造装置を汚染しにくい効果を有する。
【００１５】
［態様７］
上記エンボス部を形成するステップにおいて、上記吸収性物品及び上記トリム部を、上記境界線の少なくとも一部に沿って、上記エンボス部の、上記搬送方向と直交する直交方向の長さが一定となるように、それらの厚さ方向にエンボスする、態様６に記載の方法。
態様７に記載の方法では、エンボス部の直交方向の長さが一定となるようにエンボス部を形成するステップを実施する。その結果、切除されたトリム部において、エンボス部の圧搾強度が均一となり、切除されたトリム部の、エンボス部の強度の弱い部分から、粉体が落下しにくくなる。
【００１６】
［態様８］
上記分離するステップにおいて、上記吸収性物品連続体を所定の搬送方向に搬送しながら、上記吸収性物品及び上記トリム部を、カッターロールと、アンビルロールとを備える切断装置に通すことより、上記境界線において切断し、上記トリム部が、上記粉体層及び上記周縁領域が、上記トリム部の厚さ方向に重複する重複領域を有し、上記トリム部が、上記接着剤塗工領域を、上記重複領域に有し、上記境界線のうち、上記重複領域に存在する境界線部分が、上記搬送方向と直交しない方向に延びている、態様１〜７のいずれか一項に記載の方法。
態様８に記載の方法では、境界線のうち、重複領域に存在する境界線部分が、搬送方向と直交しない方向に延びるように形成されているので、重複領域に隣接する周縁領域が十分に圧縮され、その結果、粉体が、切除されたトリム部の切断面から落下しにくい。従って、態様８に記載の方法は、粉体が製造装置を汚染しにくい効果を有する。
【００１７】
［態様９］
上記トリム部を取り除くステップにおいて、上記トリム部が、吸引機器によって吸引されることによって取り除かれ、上記トリム部の吸引される面が、フィルムにより形成されている、態様１〜８のいずれか一項に記載の方法。
態様９に記載の方法は、吸引機器が、粉体を取り込みにくく、粉体が吸引機器を汚染しにくい効果を有する。
【００１８】
［態様１０］
上記吸収性物品連続体において、長手方向及び幅方向を有し、吸収性物品本体部と、上記吸収性物品本体部から、吸収性物品の幅方向外側に延出するフラップ部とを備える複数の吸収性物品が、上記長手方向に所定の間隔で配置されており、上記分離するステップの前に、上記トリム部及びフラップ部を構成する資材に、上記吸収性物品連続体が延びる方向に、粉体を連続的に塗工することにより、上記トリム部から上記フラップ部に連続する上記粉体層を形成するステップをさらに含む、態様１〜９のいずれか一項に記載の方法。
態様１０に記載の方法では、粉体を連続的に高速で塗工することができるので、粉体が均一に塗工された吸収性物品を高速で製造することができる効果を有する。
【００１９】
本開示の吸収性物品を連続的に製造する方法（以下、単に「吸収性物品の製造方法」と称する場合がある）について、適宜図面を用いて、以下、詳細に説明する。
【００２０】
本開示の吸収性物品の製造方法は、以下の工程を含む。
・複数の吸収性物品と、肌当接層、着衣当接層及びそれらの間の粉体層を備える、切除すべきトリム部とを含む吸収性物品連続体を準備する工程（以下、「準備工程」と称する場合がある）
・上記吸収性物品連続体を、上記吸収性物品及び上記トリム部を区画する境界線において、当該境界線の周縁領域を圧縮しながら切断し、上記吸収性物品と、上記トリム部とを分離する工程（以下、「分離工程」と称する場合がある）
・上記トリム部を取り除く工程（以下、「除去工程」と称する場合がある）
【００２１】
また、本開示の吸収性物品の製造方法は、所望による以下の工程を含む。
・準備工程の後且つ分離工程の前に、上記境界線に沿って、上記吸収性物品及び上記トリム部を、それらの厚さ方向にエンボスし、上記吸収性物品及び上記トリム部にエンボス部を形成する工程（以下、「エンボス部形成工程」と称する場合がある）
・分離工程の前に、上記トリム部及びフラップ部を構成する資材に、上記吸収性物品連続体が延びる方向に、粉体を連続的に塗工することにより、上記トリム部から上記フラップ部に連続する上記粉体層を形成する工程（以下、「粉体層形成工程」と称する場合がある）
【００２２】
図１は、本開示の実施形態の１つ（第１実施形態）に従う吸収性物品１０１を連続的に製造する方法の工程図である。以下、第１実施形態について説明する。
第１実施形態を説明するにあたり、初めに、第１実施形態により製造される吸収性物品１０１の構造を説明する。
図２は、第１実施形態に従って製造された吸収性物品１０１、具体的には、生理用ナプキンの正面図である。図３は、図２に示される吸収性物品１０１の背面図である。図４は、図２のＩＶ−ＩＶ端面における端面図である。
【００２３】
吸収性物品１０１は、長手方向Ｌと、幅方向Ｗとを有し、長手方向Ｌに伸びる吸収性物品本体部１０３と、吸収性物品本体部１０３から幅方向Ｗの外側に延出する、一対のフラップ部、すなわち、一対のサイドフラップ部１０５と、一対のヒップフラップ部１０７とを有する。一対のサイドフラップ部１０５は、吸収性物品１０１の長手方向Ｌの中央よりに配置されている。一対のヒップフラップ部１０７は、吸収性物品１０１の長手方向Ｌの後方に配置され、吸収性物品１０１の長手方向Ｌの後方の端部まで延びている。
【００２４】
吸収性物品本体部１０３は、液透過性シート１０９と、液不透過性シート１１１と、液透過性シート１０９及び液不透過性シート１１１の間の吸収体１１３とを含む。吸収性物品１０１の、一対のサイドフラップ部１０５は、肌当接面１１５を有する肌当接シート１１７と、着衣当接面を有する着衣当接シート１２１と、肌当接シート１１７及び着衣当接シート１２１の間の補助シート１１９とを有する。なお、一対のヒップフラップ部１０７も、一対のサイドフラップ部１０５と同様に、肌当接面１１５を有する肌当接シート１１７と、着衣当接面を有する着衣当接シート１２１と、肌当接シート１１７及び着衣当接シート１２１の間の補助シート１１９とを有する。
【００２５】
吸収性物品１０１では、吸収性物品本体部１０３が、液不透過性シート１１１に固定された粘着部１２３を有し、吸収性物品１０１、具体的には、吸収性物品本体部１０３が、粘着部１２３を介して、着用者の着衣の内側に固定される。
【００２６】
吸収性物品１０１は、吸収性物品本体部１０３に形成された、液透過性シート１０９及び吸収体１１３を圧搾することにより形成された圧搾部１２９と、液透過性シート１０９及び吸収体１１３を貫通する開口部１３５と、液透過性シート１０９及び液不透過性シート１１１とを圧搾することにより形成され、吸収性物品１０１の外縁をシールするための圧搾部１３７と有する。
【００２７】
吸収性物品本体部１０３の液透過性シート１０９と、サイドフラップ部１０５の肌当接シート１１７とは連続しており、単一のシート（不織布）から形成されている。また、吸収性物品本体部１０３の液不透過性シート１１１と、サイドフラップ部１０５の着衣当接シート１２１とが連続しており、単一のシート（フィルム）から形成されている。ヒップフラップ部１０７の肌当接シート１１７、並びにヒップフラップ部１０７の着衣当接シート１２１も同様である。
【００２８】
吸収性物品１０１は、液透過性シート１０９を外三折りにすることにより形成された折返し部１４１と、折返し部１４１を圧搾することにより形成された圧搾部１３３とを有する。なお、折返し部１４１は、吸収した体液が、吸収性物品の幅方向、すなわち、吸収性物品本体部１０３からサイドフラップ部１０５及びヒップフラップ部１０７の方向に流れることを防止するための防漏壁を形成している。
【００２９】
吸収性物品１０１では、吸収性物品本体部１０３の液透過性シート１０９が、長手方向Ｌに延びる、複数の畝部１４３と、畝部１４３の間に配置された、複数の溝部１４７とを有する不織布である。また、サイドフラップ部１０５の肌当接シート１１７が、長手方向Ｌに延びる、複数の畝部１４５と、畝部１４５との間に配置された、複数の溝部１４９とを有する不織布である。なお、ヒップフラップ部１０７に関しても同様である。なお、図２では、便宜上、畝部１４３及び畝部１４５、並びに溝部１４７及び溝部１４９は省略されている。
【００３０】
一対のサイドフラップ部１０５は、着衣当接シート１２１に固定された、一対の粘着部１２５を有し、吸収性物品１０１、具体的には、一対のサイドフラップ部１０５が、液不透過性シート１１１側に折り曲げられた上、一対の粘着部１２５を介して、着用者の着衣の外側に固定される。
一対のヒップフラップ部１０７は、着衣当接シート１２１に固定された、一対の粘着部１２７を有し、一対のヒップフラップ部１０７は、折曲げられずに、一対の粘着部１２７を介して、着用者の着衣の内側に固定される。
【００３１】
一対のサイドフラップ部１０５は、肌当接シート１１７と、補助シート１１９と、着衣当接シート１２１とを圧搾することにより形成され、吸収性物品１０１の外縁をシールする圧搾部１３９を有する。
一対のヒップフラップ部１０７は、肌当接シート１１７と、補助シート１１９と、着衣当接シート１２１とを圧搾することにより形成され、吸収性物品１０１の外縁をシールする圧搾部１３９とを有する。また、一対のヒップフラップ部１０７は、肌当接面１１５を有する肌当接シート１１７と、補助シート１１９と、着衣当接シート１２１とを圧搾することにより形成された圧搾部１３１を有する。
一対のサイドフラップ部１０５のそれぞれは、肌当接シート１１７と、補助シート１１９との間に、粉体層１５１（粉体層５）を備える。また、一対のヒップフラップ部１０７のそれぞれは、肌当接シート１１７と、補助シート１１９との間に、粉体層１５３（粉体層５）を備える。
【００３２】
続いて、第１実施形態の各工程について説明する。なお、第１実施形態では、「粉体層形成工程」を、準備工程内で説明する。
［準備工程］
準備工程では、図１に示されるように、第１不織布ロール１１から巻き出した不織布シート１３を、当技術分野で公知のＺ折部材１５に通し、次いで、エンボス装置１７に通すことにより、圧搾部（図示せず）及び折返し部（図示せず）を備える折返しシート１９が形成される。なお、折返しシート１９は、その上面が、吸収性物品の内面を形成する。
【００３３】
なお、不織布シート１３は、吸収性物品１０１の液透過性シート１０９と、一対のサイドフラップ部１０５及び一対のヒップフラップ部１０７の肌当接シート１１７とを形成し、折返し部は、吸収性物品１０１の折返し部１４１を形成し、折返し部の圧搾部は、吸収性物品１０１の圧搾部１３３を形成する。
【００３４】
粉体層形成工程では、折返しシート１９の、一対のサイドフラップ部を形成しうる部分２３と、一対のヒップフラップ部を形成しうる部分２５と、切除すべきトリム部を形成しうる部分２７とに、搬送方向ＭＤに沿って、粉体塗工機２１から粉体を塗工し、折返しシート１９上に２つの粉体層５を有する、粉体層を有する折返しシート２２を形成する。
【００３５】
図５は、粉体層を有する折返しシート２２を説明するための図である。粉体層５は、吸収性物品と、切除すべきトリム部とを区画する境界線７を跨いで、一対のサイドフラップ部を形成しうる部分２３と、一対のヒップフラップ部を形成しうる部分２５と、切除すべきトリム部を形成しうる部分２７とに、搬送方向ＭＤ（吸収性物品１０１の長手方向Ｌ）に沿って配置されている。
【００３６】
なお、粉体は、一対のサイドフラップ部を形成しうる部分及び一対のヒップフラップ部を形成しうる部分のみに塗工される（粉体が、トリム部を形成しうる部分に塗工されない）ように間欠的に塗工されうるが、粉体が、一対のサイドフラップ部を形成しうる部分と、一対のヒップフラップ部を形成しうる部分と、トリム部を形成しうる部分とに連続的に塗工されることにより、吸収性物品の製造効率、歩留まり等が高くなりうる。
【００３７】
次いで、折返しシート１９の、一対のサイドフラップ部を形成しうる部分２３と、一対のヒップフラップ部を形成しうる部分２５と、切除すべきトリム部を形成しうる部分２７とに、搬送方向ＭＤ（吸収性物品１０１の長手方向Ｌ）に沿って、接着剤塗工機２９から接着剤を塗工し、その上に、２つの接着剤塗工領域３１を形成し、接着剤塗工領域を有する折返しシート３３を形成する。
【００３８】
図６は、接着剤塗工領域を有する折返しシート３３を説明するための図である。図６に示されるように、２つの接着剤塗工領域３１のそれぞれは、波状の塗工パターンを有する３本の接着線を含み、粉体層５を覆っている。具体的には、接着剤塗工領域３１の、搬送方向ＭＤの両側縁が、粉体層５の、搬送方向ＭＤの両側縁よりも外側に配置されている。そのようにすることにより、切除されたトリム部において、接着剤塗工領域３１に存在する接着剤が粉体の防護壁として機能し、粉体が、切除されたトリム部から落下しにくくなる。
【００３９】
次いで、接着剤塗工領域を有する折返しシート３３の、サイドフラップ部を形成しうる部分２３と、ヒップフラップ部を形成しうる部分２５と、切除すべきトリム部を形成しうる部分２７との上に、搬送方向ＭＤに沿って、第２不織布ロール３５から巻きだした補助シート３７を積み重ね、第１積層シート３９を形成する。
【００４０】
次いで、第１積層シート３９の上に、接着剤塗工機４１から接着剤を塗工し、その上に、吸収体１１３を積み重ね、第２積層シート４３を形成する。
なお、吸収体１１３は、当技術分野で公知の吸収体製造装置４５により製造され、吸収体製造装置４５は、材料供給部４７と、サクションドラム４９と、サクションドラム４９の外周面に形成された凹型５１と、サクション部５３とを備える。
【００４１】
次いで、第２積層シート４３をエンボス装置５５に通し、第２積層シート４３に吸収性物品１０１の圧搾部１２９を形成し、次いで、第２積層シート４３を、貫通孔形成機５７に通して、そこに吸収性物品１０１の開口部１３５を形成することにより、第３積層シート５９を形成する。
【００４２】
次いで、第３積層シート５９に、接着剤塗工機６１から接着剤を塗工し、次いで、フィルムロール６３からフィルム６５を巻き出し、第３積層シート５９の上に積み重ねることにより、第４積層シート６７を形成する。なお、フィルム６５は、吸収性物品１０１の吸収性物品本体部１０３の液不透過性シート１１１と、サイドフラップ部１０５及びヒップフラップ部１０７の着衣当接シート１２１を形成する。
【００４３】
［エンボス部形成工程］
第４積層シート６７を、エンボスロール６９ａと、アンビルロール６９ｂとを備えるエンボス装置６９に通して、第４積層シート６７をその厚さ方向に圧搾することにより、第５積層シート７１（吸収性物品連続体１）を形成する。
図７は、第５積層シート７１を説明するための図である。エンボス装置６９により、吸収性物品１０１において、吸収性物品１０１の外縁をシールするための、間欠的に配置された、複数の圧搾部１３７と、吸収性物品１０１の外縁をシールするための、間欠的に配置された、複数の圧搾部１３９とが形成される。また、エンボス装置６９により、削除すべきトリム部３の境界線７に沿った領域に、間欠的に配置された、複数の圧搾部７３が形成される。圧搾部７３は、少なくとも、肌当接シート１１７と、補助シート１１９と、着衣当接シート１２１とを、厚さ方向に圧搾することにより形成されている。
【００４４】
図７に示されるように、境界線７のうち、切除すべきトリム部３のエンボス部７３が形成された領域に存在する境界線部分７'は、搬送方向ＭＤと直交しない方向に延びている。そうすることにより、エンボス装置６９により、境界線７に沿って、吸収性物品１０１及び切除すべきトリム部３をエンボスする際に、一対のエンボスロールにより加えられる力が分散されにくくなり、切除すべきトリム部３のエンボス部７３が十分に圧搾される。その結果、切除されたトリム部から粉体が落下しにくく、粉体が製造設備を汚染しにくくなる。
【００４５】
［分離工程］
第５積層シート７１を、カッターロール７５ａ及びアンビルロール７５ｂを備える切断装置７５に通し、第５積層シート７１を、吸収性物品と、切除すべきトリム部とを区画する境界線で切断し、吸収性物品（図示せず）と、トリム部（図示せず）とに分離する。
【００４６】
後述する図８に示されるように、切除されたトリム部７７は、粉体層５及び周縁領域７９が、切除されたトリム部７７の厚さ方向に重複する重複領域８１を有する。また、切除されたトリム部７７は、重複領域８１に接着剤塗工領域３１を有する。さらに、境界線７のうち、重複領域８１に存在する境界線部分７'が、搬送方向MDと直交しない方向に延びるように形成されている。そうすることにより、切除すべきトリム部３の周縁領域７９が十分に圧縮され、切除されたトリム部から粉体が落下しにくく、粉体が製造設備を汚染しにくい。
【００４７】
［除去工程］
分離されたトリム部は、吸引器（図示せず）により、着衣当接面を吸引することにより取り除かれる。
図８は、切除されたトリム部７７を説明するための図である。切除されたトリム部７７は、粉体層５と、周縁領域７９とが、切除されたトリム部７７の厚さ方向に重複する重複領域８１に、境界線７に沿った圧搾部７３を有するので、切除されたトリム部７７から粉体が落下しにくい。また、切除されたトリム部７７は、重複領域８１に、接着剤塗工領域３１を有するので、接着剤塗工領域３１に塗工された接着剤が、粉体の防護壁として機能し、粉体が、切除されたトリム部７７から落下しにくい。さらに、接着剤塗工領域３１の、搬送方向ＭＤの両側縁が、粉体層５の、搬送方向ＭＤの両側縁よりも外側に配置されているので、切除されたトリム部において、接着剤塗工領域３１に存在する接着剤が粉体の防護壁として機能し、粉体が、切除されたトリム部から落下しにくくなる。
【００４８】
第１実施形態では、切除されたトリム部７７において、粉体層５と、接着剤塗工領域３１とが、切除されたトリム部７７の厚さ方向に隣接しているが、本開示の方法では、接着剤塗工領域が、肌当接層と、着衣当接層との間に配置されていれば、その場所は限定されない。接着剤塗工領域の接着剤が、切除されたトリム部の任意の層を接着することにより、切除されたトリム部から粉体が落下しにくくなるからである。粉体を直接保持し、粉体の落下を抑制する観点からは、切除されたトリム部において、接着剤塗工領域と、粉体層とが、切除されたトリム部の厚さ方向に隣接していることが好ましい。
【００４９】
第１実施形態では、切除されたトリム部７７が、粉体層５及び周縁領域７９が、切除されたトリム部７７の厚さ方向に重複する重複領域８１を有し、切除されたトリム部７７が、重複領域８１に接着剤塗工領域３１を有する。そうすることにより、本開示の方法では、切除されたトリム部の重複領域において、粉体層の粉体が、接着剤塗工領域の接着剤により保持され、粉体が、切除されたトリム部から落下しにくくなり、粉体が、製造装置を汚染しにくくなる。
【００５０】
第１実施形態では、エンボス部形成工程において、切除すべきトリム部３の境界線７に沿った領域に、間欠的に配置された、複数の圧搾部７３が形成されたが、本開示の別の実施形態に従う方法では、削除すべきトリム部の境界線に沿った領域に、連続的に配置された圧搾部を形成する。そうすることにより、切除されたトリム部から、粉体が落下しにくくなり、粉体が製造設備を汚染しにくくなる。
【００５１】
また、本開示の方法がエンボス部形成工程を含む場合には、エンボス部形成工程において、境界線に沿って、吸収性物品及び切除すべきトリム部に、低エンボス部と、低エンボス部よりも強くエンボスされた高エンボス部とを備えるエンボス部を形成してもよい。そうすることにより、切除されたトリム部において、エンボス部が破断しにくくなり、粉体が、切除されたトリム部の切断面から落下しにくくなる。また、切除されたトリム部において、エンボス部の圧搾強度が低い部分が生じにくくなり、圧搾強度の低い部分から、粉体が落下しにくくなる。その結果、粉体が、製造設備を汚染しにくくなる。
【００５２】
第１実施形態では、分離工程が、第５積層シート７１を、カッターロール及びアンビルロールを備える切断装置７５に通過させることにより実施されたが、本開示の方法では、分離ステップは、周縁領域を圧縮しながら切断するものであれば、特に制限されず、例えば、吸収性物品連続体を、吸収性物品連続体の厚さ方向に圧縮し、吸収性物品連続体の厚さを０にすることにより切断する任意の手段が含まれる。
【００５３】
第１実施形態では、除去工程が、分離されたトリム部の着衣当接面を吸引器により吸引することにより実施されたが、本開示の方法では、除去工程は、当技術分野で公知の方法により実施される。
本開示の方法において、除去工程が、分離されたトリム部を吸引することにより実施される場合には、分離されたトリム部のフィルムにより形成された面（フィルム面）を吸引することが好ましい。フィルム面を吸引することにより、例えば、不織布により形成された面（不織布面）を吸引する場合と比較して、粉体を取り込みにくくなり、粉体が吸引器を汚染しにくくなる。
【００５４】
本開示の方法において、上記粉体としては、当技術分野で用いられるものであれば、特に制限されず、例えば、機能性成分を内包するマイクロカプセル、高吸収性ポリマー等が挙げられる。
上記マイクロカプセルの素材としては、例えば、糖類、例えば、単糖類（例えば、ブドウ糖）、二糖類（例えば、ショ糖）、多糖類（例えば、デキストリン、グルコマンナン、アルギン酸ナトリウム、水溶性でんぷん等）、ゼラチン、水溶性ポリマー（例えば、ポリビニルアルコール、ポリ酢酸ビニル等）等が挙げられる。
【００５５】
上記マイクロカプセルが内包しうる機能性成分としては、例えば、芳香成分、冷感成分、消臭成分、抗菌成分、スキンケア成分、並びにそれらの任意の組み合わせから成る群から選択される成分が挙げられる。
【００５６】
上記芳香成分としては、当技術分野で香料として用いられているものであれば、特に制限されず、例えば、沸点が約２５０℃以下の高揮発性香料、沸点が約２５０〜約３００℃の中揮発性香料が挙げられる。
【００５７】
上記冷感成分としては、当技術分野で冷感材として知られているものが挙げられ、例えば、皮膚の神経にある受容体活性化チャネル（ＴＲＰＭ８）に作用するもの、例えば、メントール（例えば、ｌ−メントール）及びその誘導体、サリチル酸メチル、カンファー、植物（例えば、ミント、ユーカリ）由来の精油等が挙げられる。また、上記冷感機能を有する機能性成分としては、気化熱により周囲の温度を下げるもの、例えば、アルコール、例えば、メタノール及びエタノールが挙げられる。
【００５８】
上記消臭成分としては、当技術分野で消臭剤として知られているものが挙げられる。
上記スキンケア成分としては、例えば、消炎成分、鎮痒成分、かぶれ防止成分、保湿成分等が挙げられ、例えば、メントール、サリチル酸メチル等が挙げられる。
【００５９】
上記マイクロカプセルは、上記機能性成分の放出を制御するために、溶媒をさらに含むことができる。上記溶媒としては、例えば、親油性のアルコール系溶媒、エステル系溶媒、エーテル系溶媒、ケトン系溶媒、炭化水素系溶媒が挙げられる。
上記炭化水素系溶媒の例としては、例えば、流動パラフィンが挙げられ、そして上記エステル系溶媒の例としては、ミリスチン酸イソプロピルが挙げられる。
【００６０】
本開示の方法では、肌当接シートは、好ましくは１０〜５０ｇ／ｍ2、より好ましくは１５〜４０ｇ／ｍ2、そしてさらに好ましくは２０〜３０ｇ／ｍ2の坪量を有する。本開示の効果の観点からである。肌当接シートは、好ましくは０．５〜３．０ｍｍ、より好ましくは０．７〜２．０ｍｍの厚さを有する。切除されたトリム部からの、粉体の落下しにくさと、吸収性物品の着用感の観点からである。
【００６１】
なお、上記坪量は、ＪＩＳ  Ｌ  １９１３：２０１０の「６．２  単位面積当たりの質量（ＩＳＯ法）に従って測定する。
上記厚さ（ｍｍ）は、以下の通り測定される。
株式会社大栄科学精器製作所製  ＦＳ−６０ＤＳ［測定面４４ｍｍ（直径），測定圧３ｇ／ｃｍ2］を準備し、標準状態（温度２３±２℃，相対湿度５０±５％）の下、吸収体の異なる５つの部位を加圧し、各部位における加圧１０秒後の厚さを測定し、５つの測定値の平均値を厚さとする。
【００６２】
本開示の吸収性物品において、液透過性層及び／又は肌当接層が畝溝構造を有する場合には、当技術分野で公知の方法を利用して製造することができる。例えば、透過性層及び／又は肌当接シートは、特開２００８−２５０７９号公報、特開２００８−２３３２６号公報、特開２００９−３０２１８号公報等に記載の方法を利用して製造することができる。
【符号の説明】
【００６３】
１    吸収性物品連続体
３    切除すべきトリム部
５    粉体層
７    境界線
１１    第１不織布ロール
１３    不織布シート
１５    Ｚ折部材
１７，５５，６９    エンボス装置
１９    折返しシート
２１    粉体塗工機
２２    粉体層を有する折返しシート
２３    サイドフラップ部を形成しうる部分
２５    ヒップフラップ部を形成しうる部分
２７    切除すべきトリム部を形成しうる部分
２９，４１，６１    接着剤塗工機
３１    接着剤塗工領域
３３    接着剤塗工領域を有する折返しシート
３５    第２不織布ロール
３７    補助シート
３９    第１積層シート
４３    第２積層シート
５７    貫通孔形成機
５９    第３積層シート
６３    フィルムロール
６５    フィルム
６７    第４積層シート
７１    第５積層シート
７３    圧搾部
７５    切断装置
７７    切除されたトリム部
７９    周縁領域
８１    重複領域
【図１】
0006305373.tif 000002
【図２】
0006305373.tif 000003
【図３】
0006305373.tif 000004
【図４】
0006305373.tif 000005
【図５】
0006305373.tif 000006
【図６】
0006305373.tif 000007
【図７】
0006305373.tif 000008
【図８】
0006305373.tif 000009